(57)【特許請求の範囲】
【請求項１】
装着者の虹彩部に対応する領域に、所定の１色で着色され着色濃度に斑がある着色パターンを２以上備え、
各々の前記着色パターンのレンズ径方向で最も着色濃度の高い領域は最端部でなく、全体として、内側の最端部では淡く中央部にかけて着色濃度が高くなり、外側の最端部では再び淡くなる分布を有するとともに、レンズ周方向で連続的になだらかに変化する不規則な濃淡があり、
前記着色パターンは多数の着色ドットから構成され、
各々の前記着色パターンの前記着色ドットは規則的に配置され、着色ドットの大きさによって前記着色濃度分布が定まり、
各々の前記着色パターンの前記所定の１色はそれぞれ異なる色であり、
１つの着色パターンの形成領域と他の着色パターンの形成領域とが互いに重畳する部分を有し、
前記各着色ドットは、平面視で一定のピッチの直交格子上に配置され、
前記一定のピッチは、各着色パターンにおいて、１００〜４００μｍの同じ又は異なる数値をとり、
各着色ドットが、１０〜３００μｍの直径を有することにより前記レンズ周方向で連続的になだらかに変化する不規則な濃淡を表現することを特徴とするカラーコンタクトレンズ。
【請求項２】
各々の前記着色パターンでは、最も着色濃度が高くなるレンズ径方向の位置が、レンズ周方向における中心角度によって異なることを特徴とする請求項１に記載のカラーコンタクトレンズ。
【請求項３】
各々の前記着色パターンは、レンズの円周方向で合計２７０度以上の範囲に存在することを特徴とする請求項１または２に記載のカラーコンタクトレンズ。
【請求項４】
２以上の前記着色パターンのうち少なくとも一方の着色パターンの色は暖色であることを特徴とする請求項１から３の何れか１項に記載のカラーコンタクトレンズ。
【発明の詳細な説明】
【技術分野】
【０００１】
本発明は、装着者の虹彩の色に変化を与えることができるカラーコンタクトレンズに関する。
【背景技術】
【０００２】
近年、装着者の虹彩（黒目部分）の色に変化を与えることができるカラーコンタクトレンズが、若い女性を中心に普及してきている。その中には、レンズ装着者の虹彩の領域に複数のテーパの付いたスポーク状の着色パターンを有するカラーコンタクトレンズが提案されている（例えば、特許文献１参照）。特許文献１記載のカラーコンタクトレンズでは、テーパの付いたスポーク状の着色パターンにより、装着者の虹彩をより大きく見せることができる。
【先行技術文献】
【特許文献】
【０００３】
【特許文献１】特表２００８−５１１０２５
【発明の概要】
【発明が解決しようとする課題】
【０００４】
しかしながら、スポーク状の着色パターンのような、はっきりした形状の着色パターンを有するカラーコンタクトレンズでは、異なる複数の色の着色パターンを採用しようとすると、色の組み合わせによっては、装着した際に不自然に見えてしまう可能性がある。
【０００５】
本開示は、上記問題に鑑みてなされたものであり、複数の色の着色パターンを有する場合であっても、装着した際に不自然に見えずらい外観を有するカラーコンタクトレンズを提供することを目的とする。
【課題を解決するための手段】
【０００６】
上記課題を解決するため、本開示の一態様に係るカラーコンタクトレンズでは、
装着者の虹彩部に対応する領域に、所定の１色で着色され着色濃度に斑がある着色パターンを２以上備え、
各々の前記着色パターンのレンズ径方向で最も着色濃度の高い領域は最端部でなく、全体として、内側の最端部では淡く中央部にかけて着色濃度が高くなり、外側の最端部では再び淡くなる分布を有しており、
前記着色パターンは多数の着色ドットから構成され、
各々の前記着色パターンの前記着色ドットは規則的に配置され、着色ドットの大きさによって前記着色濃度分布が定まり、
各々の前記着色パターンは少なくとも一部で重畳するようになっている。
【発明の効果】
【０００７】
以上のように本開示では、複数の色の着色パターンを有する場合であっても、装着した際に不自然に見えずらい外観を有するカラーコンタクトレンズを提供することができる。
【図面の簡単な説明】
【０００８】
【図１Ａ】本発明の第１の実施形態に係るカラーコンタクトレンズの第１の着色パターンを模式的に示す平面図である。
【図１Ｂ】本発明の第１の実施形態に係るカラーコンタクトレンズの第２の着色パターンを模式的に示す平面図である。
【図１Ｃ】本発明の第１の実施形態に係るカラーコンタクトレンズを模式的に示す平面図である。
【図２Ａ】本発明の第２の実施形態に係るカラーコンタクトレンズの第１の着色パターンを模式的に示す平面図である。
【図２Ｂ】本発明の第２の実施形態に係るカラーコンタクトレンズの第２の着色パターンを模式的に示す平面図である。
【図２Ｃ】本発明の第２の実施形態に係るカラーコンタクトレンズを模式的に示す平面図である。
【図３Ａ】本発明の第３の実施形態に係るカラーコンタクトレンズの第１の着色パターンを模式的に示す平面図である。
【図３Ｂ】本発明の第３の実施形態に係るカラーコンタクトレンズの第２の着色パターンを模式的に示す平面図である。
【図３Ｃ】本発明の第３の実施形態に係るカラーコンタクトレンズを模式的に示す平面図である。
【図４Ａ】本発明の第４の実施形態に係るカラーコンタクトレンズの第１の着色パターンを模式的に示す平面図である。
【図４Ｂ】本発明の第４の実施形態に係るカラーコンタクトレンズの第２の着色パターンを模式的に示す平面図である。
【図４Ｃ】本発明の第４の実施形態に係るカラーコンタクトレンズを模式的に示す平面図である。
【図５Ａ】本発明の第５の実施形態に係るカラーコンタクトレンズの第１の着色パターンを模式的に示す平面図である。
【図５Ｂ】本発明の第５の実施形態に係るカラーコンタクトレンズの第２の着色パターンを模式的に示す平面図である。
【図５Ｃ】本発明の第５の実施形態に係るカラーコンタクトレンズを模式的に示す平面図である。
【図６Ａ】本発明の第６の実施形態に係るカラーコンタクトレンズの第１の着色パターンを模式的に示す平面図である。
【図６Ｂ】本発明の第６の実施形態に係るカラーコンタクトレンズの第２の着色パターンを模式的に示す平面図である。
【図６Ｃ】本発明の第６の実施形態に係るカラーコンタクトレンズの第３の着色パターンを模式的に示す平面図である。
【図６Ｄ】本発明の第６の実施形態に係るカラーコンタクトレンズを模式的に示す平面図である。
【図７】レンズ周方向の中心角度によって、最も着色濃度が高くなるレンズ径方向の位置が異なることを模式的に示す平面図である。
【図８】レンズ周方向の異なる３つの中心角度におけるレンズ径方向の着色濃度分布を模式的に示すグラフである。
【発明を実施するための形態】
【０００９】
以下、図面を参照しながら、本発明を実施するための実施形態や実施例を説明する。なお、以下に説明するカラーコンタクトレンズは、本発明の技術思想を具体化するためのものであって、特定的な記載がない限り、本発明を以下のものに限定しない。
各図面中、同一の機能を有する部材には、同一符号を付している場合がある。要点の説明または理解の容易性を考慮して、便宜上実施形態や実施例に分けて示す場合があるが、異なる実施形態や実施例で示した構成の部分的な置換または組み合わせは可能である。後述の実施形態や実施例では、前述と共通の事柄についての記述を省略し、異なる点についてのみ説明する。特に、同様の構成による同様の作用効果については、実施形態や実施例ごとには逐次言及しないものとする。各図面が示す部材の大きさや位置関係等は、説明を明確にするため、誇張して示している場合もある。
【００１０】
（第１の実施形態に係るカラーコンタクトレンズ）
はじめに、図１Ａから図１Ｃを参照しながら、本発明の第１の実施形態に係るカラーコンタクトレンズの説明を行う。図１Ａは、本発明の第１の実施形態に係るカラーコンタクトレンズの第１の着色パターンを模式的に示す平面図である。図１Ｂは、本発明の第１の実施形態に係るカラーコンタクトレンズの第２の着色パターンを模式的に示す平面図である。図１Ｃは、本発明の第１の実施形態に係るカラーコンタクトレンズを模式的に示す平面図である。
【００１１】
本実施形態に係るカラーコンタクトレンズ２は、度付きソフトコンタクトレンズまたは度無しソフトコンタクトレンズに様々な着色を施して形成される。ソフトコンタクトレンズの素材としては、 Ｐｏｌｙ−ＨＥＭＡ（ポリヒドロキシエチルメタアクリレート）またはＰＶＰ （ポリビニルピロリドン）といったゲル状の合成高分子化合物（ハイドロゲル等）を用いることができる。ただし、これに限られるものではなく、その他の任意のソフトコンタクトレンズ用素材を採用することができる。
【００１２】
カラーコンタクトレンズ２は、第１の着色パターン１０及び第２の着色パターン２０を有する。第１の着色パターン１０及び第２の着色パターン２０は、それぞれ、装着者の虹彩部に対応する領域に、所定の１色で着色濃度に斑があるように着色されている。
カラーコンタクトレンズのレンズ外径寸法として、１３．５〜１５ｍｍを例示することができる。このような大きさのカラーコンタクトレンズにおいて、第１の着色パターン１０及び第２の着色パターン２０の外側端部の径が１２．０〜１４．５ｍｍであり、第１の着色パターン１０及び第２の着色パターン２０のレンズ径方向Ｄにおける幅寸法が、１．０〜５．０ｍｍである場合を例示できる。瞳の大きさには個人差があるが、上記の範囲であれば、多くの使用者が好適に使用することができる。
【００１３】
図１Ａ、１Ｂから明らかなように、本実施形態の第１の着色パターン１０及び第２の着色パターン２０の各々の着色パターンの着色濃度分布は、レンズ径方向Ｄで最も着色濃度の高い領域は最端部でなく、全体として、内側の最端部では淡く中央部にかけて着色濃度が高くなり、外側の最端部では再び淡くなる分布を有している。一方、レンズ周方向Ｃでは、連続的になだらかに変化する不規則な濃淡があり、全体として着色濃度に斑がある分布を有している。レンズ径方向Ｄでは、両端が淡く、その間のどこかの領域で濃くなるような相関を有し、レンズ周方向Cでは特別な相関を有さないようになっている。これにより、色の濃淡が一様ではない着色濃度に斑がある分布となる。
ここで、「全体として」とは、レンズ径方向Ｄの着色濃度分は、レンズ周方向Cの中心角度によって異なるが、着色濃度の分布傾向として、両側が淡く、その間の中央部で最も濃くなる傾向を示すことを意味する。「中心角度」とは、レンズの中心点を回転中心とする角度であり、基準位置に対して０°〜３６０°の角度で表すことができる。
【００１４】
第１の着色パターン１０及び第２の着色パターン２０は、多数の着色ドットから構成されている。特に、着色パターン１０、２０を構成する着色ドットは、それぞれ規則的に配置されている。着色濃度は、所定の領域における着色ドットの密度で定まるので、規則的に配置されている着色ドットの場合、着色ドットの大きさによって着色濃度分布が定まる。つまり、規則的に配置された着色ドットの大きさを変化させることにより、着色濃度に斑がある分布を得ることができる。また、第１の着色パターン１０及び第２の着色パターン２０は、少なくとも一部で重畳するように配置されている。
【００１５】
第１の着色パターン１０及び第２の着色パターン２０を構成する着色ドットの色としては、第１の着色パターン１０では、装着者の虹彩部の色に近似した色を有し、第２の着色パターン２０では、第１の着色パターン１０より明るい色を有する場合を例示できる。また、後述するように、第１の着色パターン１０及び第２の着色パターン２０の少なくとも一方に、暖色系の色を用いることもできる。暖色は、アイシャドウやリップなど女性が使用する化粧品で多く使われるような、色相に近いため、それらの色が瞳に映っているかのように見える。その結果、コンタクトレンズ自体は、不自然な色が配色されているにもかかわらず、装着した状態においては、他者に自然な印象を与えることができる。
ただし、これに限られるものではなく、その他の任意の色の組み合わせを採用できる。本実施形態では、２つの色の着色パターンを有する場合を示すが、これに限られるものではなく、後述するように、３つ以上の色の着色パターンを有する場合もあり得る。
【００１６】
以上のように、２以上の色のそれぞれ着色パターン１０、２０は、着色濃度に斑がありながら、レンズ径方向Ｄにおける内側で淡く、中央部にかけて着色濃度が高くなり、外側では淡くなる着色分布を有している。これにより２色以上の着色で２次元的に濃淡のある様々な彩色パターンが得られるので、美観に優れたカラーコンタクトレンズ２が得られる。特に、様々な着色濃度の２色以上の着色ドットが重なり合ったり、近接して配置されたりするので、様々な色彩を有するカラーコンタクトレンズ２が得られる。
【００１７】
それぞれの着色パターンが着色濃度に斑があるようにするため、例えば、着色ドットの位置を様々に変化させることも考えられる。しかし、その場合には、不規則性が際立ちすぎて、かえって装着していることを他者に認識されてしまう虞がある。一般的に、カラーコンタクトレンズを装着していることを他者に認識されてしまうことは、使用者には好まれない。本実施形態では、規則的に配置され、着色ドットの大きさによって着色濃度に斑がある分布を得ているので、不規則性が際立ちすぎることなく、装着時に自然に見えるカラーコンタクトレンズ２が得られる。これにより、複数の色の着色パターンを有する場合であっても、装着した際に不自然に見えずらい外観を有するカラーコンタクトレンズを提供することができる。
【００１８】
＜レンズ径方向、レンズ周方向における着色濃度分布＞
各々の着色パターン１０、２０の着色濃度分布について、図７及び図８を参照しながら、更に詳細に説明する。図７は、レンズ周方向の中心角度によって、最も着色濃度が高くなるレンズ径方向の位置が異なることを模式的に示す平面図である。図８は、レンズ周方向の異なる３つの中心角度におけるレンズ径方向の着色濃度分布を模式的に示すグラフである。
図７には、レンズ周方向Cにおいて、初期位置から中心角度がθ１、θ２及びθ３におけるレンズ径方向Ｄの着色濃度が最も高くなる位置Ｐ１、Ｐ２及びＰ３が示されている。着色濃度が最も高くなる位置Ｐ１、Ｐ２及びＰ３は、それぞれ、レンズ中心からＬ１、Ｌ２及びＬ３の距離だけ離れた位置にある。Ｌ１、Ｌ２及びＬ３の値はそれぞれ異なっており、レンズ周方向Ｃの中心角度によって、最も着色濃度が高くなるレンズ径方向Ｃの位置が異なっていることが示されている。
【００１９】
図８のグラフには、初期位置から中心角がθ１、θ２及びθ３である場合におけるレンズ径方向Ｄの着色濃度分布が示されている。図８から明らかなように、レンズ周方向Ｃの中心角度によって、最も着色濃度が高くなるレンズ径方向Ｃの位置だけでなく、レンズ径方向Ｄの着色濃度分布もそれぞれ異なっている。ただし、どの着色濃度分布も、レンズ径方向Ｄにおいて、両端の着色濃度が低く、両端の間の中央部の何れかの位置において着色濃度が最大となるような相関を有している。一方、レンズ周方向Ｃでは、特定の相関を有するような着色濃度分布になっておらず、着色濃度は不規則に変化すると考えられる。
【００２０】
最も着色濃度が高くなる位置について補足の説明をすると、少なくとも人が色の着色濃度を比較認識できる程度の大きさを有する領域の位置を意味する。この領域の大きさは、着色濃度分布、着色ドットの配置、着色ドットの大きさ等によっても異なるが、１辺が５０〜５００μｍ程度の四角形、または直径が５０〜５００μｍ程度の円形の領域を例示できる。
また、最も着色濃度が高くなる位置を示す領域は、カラーコンタクトレンズ２の円形の平面形状を、直交格子で区分した場合の四角形の個々のメッシュである場合もあり得るし、レンズ径方向に分割する円弧及びレンズ周方向に分割する放射線で区分した場合の放射状四角形の個々のメッシュの場合もあり得る。
【００２１】
このように、各々の着色パターン１０、２０は、レンズ周方向Ｃの中心角度によって、最も着色濃度が高くなるレンズ径方向の位置が異なる。つまり、一番目に付く最も着色濃度が高くなる位置が、レンズ径方向Ｄ及びレンズ周方向Ｃで異なるので、カラーコンタクトレンズ２を装着した際に、画一的で人工的な印象を与えづらく、装着していることを他者に認識させづらいという効果が得られる。
【００２２】
なお、レンズ径方向Ｄ及びレンズ周方向Ｃの両方で着色濃度を不規則に分布させた場合でも、画一的で人工的な印象を与えづらくすることができる。しかし、２色以上の異なる色を全くランダムに混在させた場合、まとまりのない安定感に欠ける外観を呈する虞がある。しかし、本実施形態では、レンズ径方向Ｄで着色濃度の穏やかな相関を有するので、変化に富みながらも安定した外観を得ることができる。これにより、水彩画材による輪郭がぼかされた模様のように、レンズ上の位置に応じて様々に変化するパターンを有しながらも、一定の秩序を有するため、装着した場合に他者に不自然な印象を与えないような範囲で、整った印象を与えることができる。このように一定の秩序を有するため、通常、カラーコンタクトレンズであまり採用されなかった色の組み合わせを用いた場合であっても、装着した場合に、虹彩の色にうまく調和した自然な外観が得られる。
更に、カラーコンタクトレンズ２を装着するごとに、レンズ周方向Ｃの装着位置は変わる。このとき、本実施形態では、各々の着色パターン１０、２０のレンズ周方向Ｃの着色濃度が不規則に変化するので、カラーコンタクトレンズ２を装着するごとに、カラーコンタクトレンズ２の外観に変化を付けることができる。
【００２３】
更に、図１Ａ、１Ｂを参照すると、各々の着色パターン１０、２０では、レンズ径方向Ｄにおいて、レンズ中心から所定の距離まで、レンズ周方向Ｃで着色ドットが存在する領域と存在しない領域がある。つまり、レンズ中心から所定の距離までは、着色パターン１０、２０は、全周で連続して存在はしていない。しかし、レンズ中心から所定の距離以上離れた円周上においては、着色ドットは連続して存在するようになる。その場合、レンズ周方向Ｃで着色濃度に濃淡が付いている。更に、着色ドットが連続して存在する領域において限定した場合でも、レンズ径方向Ｄにおける内側で淡く、中央部にかけて着色濃度が高くなり、外側では淡くなる着色分布を有している。
レンズ中心から更に離間した着色パターン１０、２０の外側の端部領域では、レンズ周方向Ｃで着色ドットが存在する領域と存在しない領域が若干多少存在するが、平面視で概ね円形の外側形状を有している。
【００２４】
以上のように、本実施形態では、各々の着色パターン１０、２０は、レンズ中心から所定の距離以上離れた円周上において、着色ドットは連続して存在するが着色濃度に濃淡がある。これにより、変化に富みながらも安定した外観を得ることができる。
【００２５】
＜着色ドットの配置＞
上記のように、第１の着色パターン１０及び第２の着色パターン２０を構成する着色ドットは、それぞれ規則的に配置されている。これを更に詳細に述べれば、本実施形態では、着色ドットは、平面視で一定のピッチの直交格子上に配置されている。そして、直交格子上の着色ドットの大きさを変化させることにより、各位置の着色濃度を変化させることができる。この場合、設定された各直交格子の交点上に必ず着色ドットが存在するようにすることもできる。このとき、着色ドットの大きさを極めて小さくすることにより、ほとんど色を感じさせないぐらいの淡い着色を実現できる。
本実施形態に係る第１の着色パターン１０の直交格子のピッチは２００μｍであり、第２の着色パターン２０の直交格子のピッチは１７０μｍである。ただし、直交格子のピッチはこれに限られるものではなく、１００〜４００μｍ程度を例示できる。このピッチのときの着色ドットの大きさは、円形ドットの場合、１０〜３００μｍ程度の直径を例示できる。このような数値の範囲であれば、各着色ドットが互いに完全に重なり合ってしまうような場所が少なく、様々な重なり状態や近接状態を生み出すことができるため、多様な色彩、濃淡を表現できる。
【００２６】
本実施形態では、着色ドットが、平面視で一定のピッチの直交格子上に配置されているので、装着した際に、画一的で人工的な印象を与えづらく、装着していることを他者に認識させづらいにもかかわらず、整った印象を程よく与えることできる。
着色ドットを直交格子上に配置する場合だけでなく、レンズ径方向に分割した円弧及びレンズ周方向に分割した放射線による格子上に、着色ドットを配置する場合もあり得る。
【００２７】
第１の着色パターン１０及び第２の着色パターン２０が互いに重畳している状態を更に詳細に説明すると、下記のようになる。
本実施形態では、第１の着色パターン１０及び第２の着色パターン２０の直交格子のピッチが異なっている。この場合、着色パターン１０、２０の着色ドットが近接して配置される領域や、重なり合って配置される領域が生じるので、多様な色彩、濃淡を表現できる。
着色パターン１０、２０の着色ドットが近接した位置に配置されている場合には、格子状に配置された微細な画素で構成されたディスプレイを見る場合と同様に、カラーコンタクトレンズ２を見る者は、網膜上で２つの色の混合色として視認する。この場合、実際の塗料の混色がないので、鮮やかな色彩を得ることができる。
一方、着色パターン１０、２０の着色ドットが物理的に重なり合って配置されている場合には、両方の着色パターン１０、２０の濃度に応じて、様々な色彩を得ることができる。
【００２８】
更に、第１の着色パターン１０及び第２の着色パターン２０の直交格子のピッチが、同一の場合もあり得る。その場合、着色パターン１０、２０の直交格子を、互い違いに配置することもできる。つまり、一方の着色パターンの格子の四角形の中央の位置に、他方の着色パターンの格子の交点が位置するように配置することができる。この場合、各着色パターン１０、２０の着色ドットの中心位置は、１ピッチの約０．７（√２／２）だけ離間しており、極めて近接した位置に配置されている。この場合、着色ドット同士が重なりづらく、２つの色を等しく混ぜて見せることができる。一方、着色パターン１０、２０の直交格子が、互いに重なり合っている場合もあり得る。更に、直交格子とその他の格子パターンとを組み合わせて配置することもできる。この場合、着色ドット同士が重なりやすく、２つの色のいずれかに重みをもたせて見せることができる。
【００２９】
（着色パターンの形成方法）
上記のような着色パターン１０、２０の着色濃度分布を定める１つの方法として、実際にデザイナーが水彩画像等を用いて着色パターンを描き、画像処理を用いて、着色ドットの配置及び大きさを定めることを例示できる。その場合、流動性を有する画材を含んだ筆の直下の領域が最も濃くなり、両側に離れるにつれ薄れていくグラデーションが得られる。筆に含ませる画材の量、筆の進む向き、筆を紙面に押す力等を調整することにより、所望の着色パターンが得られる。
【００３０】
着色パターン１０、２０の着色濃度分布を定めるその他の方法として、コンピュータを用いて着色濃度分布を定めることもできる。例えば、円形のカラーコンタクトレンズ２の平面形状を所定の中心角度で分割する。そして、各々の中心角度において、レンズ径方向Ｄにおける最大濃度及びその位置（レンズ中心からの距離）や、それ以下の濃度の幾つかの着色濃度及びその位置を、乱数等を用いて定める。そして、レンズ中心からの距離を横軸、着色濃度を縦軸とするグラフに算出した濃度及び位置をプロットして、予め位置が定められた着色パターンの端部の着色濃度をゼロとして、所定の関数を用いて、両端部及びプロットした点を滑らかな曲線で繋ぐ。これにより、各中心角度において、図８に示すような着色濃度分布の線図を得ることができる。
【００３１】
これらの線図を、レンズ周方向Cに沿って、所定の関数を用いて滑らかな曲線で繋ぐことにより、３次元の着色濃度マップを形成することができる。これに基づいて、着色ドットの配置及び大きさを定めることができる。
なお、乱数等を用いて着色濃度を定めるに当たり、近接位置で着色濃度が大きく変わりすぎるのを防ぐため、変化の比率を調整する条件を付加することもできる。また、各々の中心角度における着色パターンの両端部の位置（レンズ中心からの距離）を、乱数等を用いて不規則に変動させることもできる。プロットした点を滑らかな曲線で繋ぐ関数ついては、位置に応じて用いる関数を異ならせたり、関数に用いる係数を変更するのが好ましい。
【００３２】
何れの方法を用いても、レンズ径方向Ｄで最も着色濃度の高い領域は最端部でなく、全体として、内側の最端部では淡く中央部にかけて着色濃度が高くなり、外側の最端部では再び淡くなる着色濃度分布を得ることができる。この場合、レンズ径方向Ｄで内側の端部から外側に進むにつれて、着色濃度は上昇するだけでなく、位置によっては下降する場合もある。しかし、全体として上昇する量の方が大きく、着色濃度は全体として上昇の傾向を示す。そして、最も着色濃度の高い位置に達し、更に外側に進むと、着色濃度は全体として下降の傾向を示すようになる。この場合でも、着色濃度は下降するだけでなく、位置によっては上昇する場合もあり得る。しかし、全体として下降する量の方が大きく、着色濃度は全体として下降の傾向を示し、外側の端部に達する。
【００３３】
レンズ上に着色ドットを設ける方法としては、パッド印刷による場合を例示できる。パッド印刷では、インクが付いたドットパターンを有するパッドをコンタクトレンズに押しつけて転写する。このとき、コンタクトレンズの一方の面に着色ドットパターンを転写した後、印刷面を同じコンタクトレンズの素材で覆って、サンドイッチ構造のカラーコンタクトレンズを形成することができる。印刷を行う面は、装着時に外側に位置する面の場合も、内側に位置する面の場合もあり得る。
ただし、これに限られるものではなく、着色ドットパターンを有する印刷面が、外部に露出している場合もあり得る。更に、インクジェット印刷をはじめとするその他の任意の印刷方法を採用することもできるし、着色材を素材に溶かし込んでカラーコンタクトレンズを成型することもできる。
【００３４】
（その他の実施形態に係るカラーコンタクトレンズ）
次に、図２Aから図６Ｄを参照しながら、本発明のその他の実施形態に係るカラーコンタクトレンズの説明を行う。図２Ａ〜２Ｃは、本発明の第２の実施形態に係るカラーコンタクトレンズを模式的に示す平面図であり、図２Ａは第１の着色パターンを示し、図２Ｂは第２の着色パターンを示し、図２Ｃはカラーコンタクトレンズを示す。図３Ａ〜３Ｃは、本発明の第３の実施形態に係るカラーコンタクトレンズを模式的に示す平面図であり、図３Ａは第１の着色パターンを示し、図３Ｂは第２の着色パターンを示し、図３Ｃはカラーコンタクトレンズを示す。図４Ａ〜４Ｃは、本発明の第４の実施形態に係るカラーコンタクトレンズを模式的に示す平面図であり、図４Ａは第１の着色パターンを示し、図４Ｂは第２の着色パターンを示し、図４Ｃはカラーコンタクトレンズを示す。図５Ａ〜５Ｃは、本発明の第５の実施形態に係るカラーコンタクトレンズを模式的に示す平面図であり、図５Ａは第１の着色パターンを示し、図５Ｂは第２の着色パターンを示し、図５Ｃはカラーコンタクトレンズを示す。図６Ａ〜６Ｄは、本発明の第６の実施形態に係るカラーコンタクトレンズを模式的に示す平面図であり、図６Ａは第１の着色パターンを示し、図６Ｂは第２の着色パターンを示し、図６Ｃは第３の着色パターンを示し、図６Ｄはカラーコンタクトレンズを示す。
【００３５】
第４の実施形態の第２の着色パターンを除き、何れの着色パターンも直交格子上に着色ドットが配置されている。第４の実施形態の第２の着色パターンでは、直交格子上に配置された着色ドットに加え、放射状に配置された着色ドットを有する。
第２の実施形態の第１の着色パターンの直交格子のピッチは２４０μｍであり、第２の着色パターンの直交格子のピッチは１８０μｍである。第３の実施形態の第１の着色パターンの直交格子のピッチは２１０μｍであり、第２の着色パターンの直交格子のピッチも２１０μｍである。第４の実施形態の第１の着色パターンの直交格子のピッチは１９０μｍであり、第２の着色パターンの直交格子のピッチは３６０μｍである。第２の着色パターンは、更に、２６０μｍのピッチで放射状に配置された着色ドットも有する。第５の実施形態の第１の着色パターンの直交格子のピッチは２４０μｍであり、第２の着色パターンの直交格子のピッチは１２０μｍである。第６の実施形態の第１の着色パターンの直交格子のピッチは２７０μｍであり、第２及び第３の着色パターンの直交格子のピッチは１６０μｍである。なお、第６の実施形態の第１の着色パターンの最外側には、ピッチの異なるパターンが重畳されている。
【００３６】
何れの実施形態に係るカラーコンタクトレンズ２でも、所定の１色で着色され、着色濃度に斑があり、レンズ径方向Ｄにおける内側で淡く、中央部にかけて着色濃度が高くなり、外側では淡くなる着色分布を有している着色パターンを２以上備え、着色パターンを構成する着色ドットが規則的に配置され、着色ドットの大きさによって着色濃度に斑がある分布を得ている。これにより、不規則性が際立ちすぎることなく、複数の色の着色パターンを有する場合であっても、装着した際に不自然に見えずらい外観を有するカラーコンタクトレンズを実現できる。更に、一番目に付く最も着色濃度が高くなるレンズ径方向Ｄの位置が、レンズ周方向Ｃにおける中心角度によって異なるので、カラーコンタクトレンズ２を装着した際に、画一的で人工的な印象を与えづらく、装着していることを他者に認識させづらいという効果が得られる。
特に、図３Ａ〜Ｃに示す第３の実施形態では、２つの着色パターン１０、２０の直交格子が同じピッチを有しているので、２つの着色パターンを重ねて配置することができる。その場合にも、両方の着色パターン１０、２０の濃度に応じて、様々な色彩を得ることができる。
また、図４Ｂに示す第４の実施形態の第２の着色パターンでは、直交格子状のパターンに、放射状の着色パターンが重畳されている。このように、基本的な着色パターンに別のパターンを重畳させることで、より多様なデザインを得ることができる。
【００３７】
更に、図６Ａ〜６Ｄに示す本発明の第６の実施形態に係るカラーコンタクトレンズ２では、第１の着色パターン１０及び第２の着色パターン２０に加えて、第３の着色パターン３０が組み合わさった着色パターンを有する。つまり、３種類の異なる色の着色パターンが用いられ、少なくとも一部で重畳するように配置されている。また、図６Ａでは、最外側にピッチの異なるパターンが重畳されている。このように、基本的な着色パターンに別のパターンを重畳させることで、より多様なデザインを得ることができる。
【００３８】
また、図３Ｂに示す第３の実施形態の第２の着色パターン２０や、図６Ｂ、６Cに示す第６の実施形態の第２、第３の着色パターン２０、３０では、レンズ周方向Ｃにおいて全周には存在していない。しかし、どの着色パターンにおいても、着色パターンが、レンズ円周方向Ｃで合計２７０度以上の範囲で存在している。
つまり、各々の着色パターン１０〜４０は、レンズの円周方向で合計２７０度以上の範囲で存在するようになっている。これにより、着色パターンに様々な変化をつけても、一定の安定した外観を得ることができる。
【００３９】
（カラーコンタクトレンズの応用例）
以上のようなカラーコンタクトレンズ２において、第１の着色パターン２０が装着者の虹彩の色に対応した色彩を有し、第２の着色パターン２０が口紅、チーク、マスカラ、アイシャドウといった装着者が使う化粧品の色に対応した色彩を有するように着色することもできる。その場合には、虹彩に対応した濃い色の中に、より明るい華やかな化粧品の色が映り込んだように見えるため、虹彩の色とは異なる色彩でありながらも自然に見えるようにできる。
【００４０】
上記のように、２以上の着色パターン１０、２０が、着色濃度に斑があり、レンズ径方向Ｄにおいて、全体として、内側の最端部では淡く中央部にかけて着色濃度が高くなり、外側の最端部では再び淡くなる分布を有することにより、水彩画材による輪郭がぼかされた模様のような着色パターンが得られる。そのような着色パターンでは、暖色系の色が映えて美しく見えることが期待できる。よって、２以上の着色パターン１０、２０のうち少なくとも一方の着色パターンの色を暖色にすることにより、装着時に、華やかで変化に富みながらも、目立ちすぎることのない自然な外観を得ることができる。
【００４１】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００４２】
２      カラーコンタクトレンズ
１０    第１の着色パターン
２０    第２の着色パターン
３０    第３の着色パターン
C      レンズ周方向
Ｄ      レンズ径方向
【要約】
【課題】  複数の色の着色パターンを有する場合であっても、装着した際に不自然に見えずらい外観を有するカラーコンタクトレンズを提供する。
【解決手段】  装着者の虹彩部に対応する領域に、所定の１色で着色され着色濃度に斑がある着色パターン１０、２０を２以上備え、各々の着色パターン１０、２０のレンズ径方向Ｄで最も着色濃度の高い領域は最端部でなく、全体として、内側の最端部では淡く中央部にかけて着色濃度が高くなり、外側の最端部では再び淡くなる分布を有しており、着色パターン１０、２０は多数の着色ドットから構成され、各々の着色パターン１０、２０の着色ドットは規則的に配置され、着色ドットの大きさによって着色濃度分布が定まり、各々の着色パターン１０、２０は少なくとも一部で重畳するカラーコンタクトレンズ２を提供する。
【選択図】  図１Ｃ【図１Ａ】
0006933823.tif 000002
【図１Ｂ】
0006933823.tif 000003
【図１Ｃ】
0006933823.tif 000004
【図２Ａ】
0006933823.tif 000005
【図２Ｂ】
0006933823.tif 000006
【図２Ｃ】
0006933823.tif 000007
【図３Ａ】
0006933823.tif 000008
【図３Ｂ】
0006933823.tif 000009
【図３Ｃ】
0006933823.tif 000010
【図４Ａ】
0006933823.tif 000011
【図４Ｂ】
0006933823.tif 000012
【図４Ｃ】
0006933823.tif 000013
【図５Ａ】
0006933823.tif 000014
【図５Ｂ】
0006933823.tif 000015
【図５Ｃ】
0006933823.tif 000016
【図６Ａ】
0006933823.tif 000017
【図６Ｂ】
0006933823.tif 000018
【図６Ｃ】
0006933823.tif 000019
【図６Ｄ】
0006933823.tif 000020
【図７】
0006933823.tif 000021
【図８】
0006933823.tif 000022